(57)【要約】【課題】  従来の芯なしトイレットペーパは、その使用し終わるところで引っ張ると、支持棒のまわりの水分で固まった部分だけが残るので、そのようなことのないようにすること。【解決手段】  芯なしトイレットペーパＡの中心部に形成する筒状の空洞を、ペーパの巻き始め端部Ａ１を折り返した状態で巻取った部分で構成し、その部分に水分を付与し、その後は普通に巻取られて形成した芯なしトイレットペーパ。【選択図】  図１０
2006149600.tif 000002
【特許請求の範囲】
【請求項１】
芯なしトイレットペーパの中心部に形成する筒状の空洞を、ペーパの巻始め端部を折り返した状態で巻取った部分で構成し、その部分に水分を付与し、その後は普通に巻取られて形成した芯なしトイレットペーパ。
【請求項２】
芯なしトイレットペーパの中心部に形成する筒状の空洞を、ペーパの巻始め端部を複数回折り返した状態で巻取った部分で構成し、その部分に水分を付与し、その後は普通に巻取られて形成した芯なしトイレットペーパ。
【請求項３】
トイレットペーパを回転ロール上に導き、該ペーパの端部を巻取り軸上で折り返し、その後１回又は複数回折り返し、次いでその折り返し部とそれと接する後続のペーパとを一緒に巻取り軸上に巻きつけ、その部分に水分を付与した後、所望の長さ分を巻取り軸に巻取った後切断し、その切断端部を糊付けしたあとで巻取り軸を抜き取った芯なしトイレットペーパの製造方法。
【請求項４】
第１回転ロールと第２回転ロールの間にトイレットペーパの巻取り軸を配し、その巻取り軸に接離自在の押えロールを設け、トイレットペーパに向かったエアノズルと、その反対方向へのトイレットペーパの巻始め端の移動手段および／又はエアノズルを備え、巻取り軸に巻取り始めのトイレットペーパに水分を付与する水分付与手段を備え、さらに巻取り軸に巻取ったトイレットペーパの切断手段と糊付け手段を具備した芯なしトイレットペーパの製造装置。
【発明の詳細な説明】
【技術分野】
【０００１】
本発明は、日常使用するトイレットペーパのうちの、紙芯を使用しない芯なしトイレットペーパに関し、更にはその芯なしトイレットペーパを製造する方法とその方法を実施する装置に関する。
【背景技術】
【０００２】
一般のトイレットペーパは、その中心部は大きい空洞になっており、その空洞は厚紙からなる中空筒状体により形成されている。
【０００３】
つまり、かゝる一般のトイレットペーパは厚紙からなる中空筒状体をその芯に有するところから俗に芯有りトイレットペーパとも称されている。
【０００４】
以上のように、普通のトイレットペーパには上記のとおり、厚紙からなる可成り大きい直径の空洞が形成されているので、使用後はその厚紙の筒状体を一々処分する必要があり、取扱い上、運搬上および資源の活用上問題であり、かつその分高価となる欠点を有している。特に使用後には、厚紙の芯が残るので、わざわざそれを一々処分する不便が生じるという欠点を有する。
【０００５】
そこでかゝる普通のトイレットペーパ、つまり芯ありトイレットペーパで厚紙の芯を使用することによる上記の欠点をなくすために、その厚紙の芯を用いない、つまり芯のないトイレットペーパ、即ち芯なしトイレットペーパが出現した。（例えば特許文献１参照）
【特許文献１】特許第３２９７１７１号公報
【０００６】
この芯なしトイレットペーパの中心部のまわりの部分がペーパの巻き始めの部分に相当し、ペーパを巻始める時にその数層に水分を霧状に付着させることにより空洞部に面する数層は互いに接着し、その接着により空洞部に面する数層は固まり、普通のトイレットペーパの厚紙の芯の役目を果たすのである。
【０００７】
したがって、芯なしトイレットペーパでもそれを使用したあとには、中心の空洞部のまわりの数層にわたって水分で固まった状態の筒状部が残ることになり、その固まった筒状部分を別途処分しなければならないという不便がある。
【発明の開示】
【発明が解決しようとする課題】
【０００８】
本発明が解決しようとする課題は、図１３に示すように、従来の芯なしトイレットペーパの中心空洞部には、トイレで使用中には支持棒１５を挿入して芯なしトイレットペーパの回転中心体として使用するが、そのペーパを使用し終わるところで、その支持棒１５のまわりのペーパの数層１６が水分や皺で固まっているので、図１３の状態（芯なしトイレットペーパＡの使用終わりの状態）で最後にＲの部分を指で引っ張ると、Ｚで示すように途中でペーパＡが破断してしまい、支持棒１５のまわりに最後の固まった筒状部が残ってしまい、その残りの部分を一々引き出して別途処分しなければならないという欠点があったので、その欠点を解消すると共に、さらには最後のトイレットペーパの端部まで有効に利用できるようにすることにある。
【課題を解決するための手段】
【０００９】
本発明の芯なしトイレットペーパは、芯なしトイレットペーパの中心部に形成する筒状の空洞を、ペーパの巻始め端部を折り返した状態で巻取った部分で構成し、その部分に水分を付与し、その後は普通に巻取られて形成した芯なしトイレットペーパからなり、さらには芯なしトイレットペーパは、芯なしトイレットペーパの中心部に形成する筒状の空洞を、ペーパの巻始め端部を複数回折り返した状態で巻取った部分で構成し、その部分に水分を付与し、その後は普通に巻取られて形成した芯なしトイレットペーパからなる。
【００１０】
そしてかかる芯なしトイレットペーパの製造方法は、トイレットペーパを回転ロール上に導き、該ペーパの端部を巻取り軸上で折り返し、その後１回又は複数回折り返し、次いでその折り返し部とそれと接する後続のペーパとを一緒に巻取り軸上に巻きつけ、その部分に水分を付与した後、所望の長さ分を巻取り軸に巻取った後切断し、その切断端部を糊付けしたあとで巻取り軸を抜き取る方法からなる。
【００１１】
またかかる芯なしトイレットペーパを製造する装置は、第１回転ロールと第２回転ロールの間にトイレットペーパの巻取り軸を配し、その巻取り軸に接離自在の押えロールを設け、トイレットペーパに向かったエアノズルと、その反対方向へのトイレットペーパの巻始め端の移動手段および／又はエアノズルを備え、巻取り軸に巻取り始めのトイレットペーパに水分を付与する水分付与手段を備え、さらに巻取り軸に巻取ったトイレットペーパの切断手段と糊付け手段を具備した製造装置からなる。
【発明の効果】
【００１２】
１．本発明の芯なしトイレットペーパは、その使用の最後に残った水分で固まった筒状部分は、残りのペーパを指で引張るだけできれいに最後のペーパと一緒に除去できるので、一々その固まった筒状部分を別途除去するという不便がない。
また、ペーパの巻始め端部の折り返し部分への水分の付与量を調整することにより、巻取った場合に最後の端部まできれいに一枚の状態で巻き取ることができる。            
【００１３】
２．本発明の芯なしトイレットペーパの製造方法においては、ペーパを巻取り軸に巻始めるときに、単に巻き始め部分を一部１回又は複数回巻き戻した後、残りのペーパを巻取り軸に巻き取りさえすれば、使用の最後に芯なしトイレットペーパの残り全部をきれいに完全に、かつ簡単に除去することができる。
また、巻き始め部分を一部巻き戻す場合に、その巻き戻し回数を２回以上にすればそれだけ芯形成部が丈夫になるので、強く巻取っても破れることがなく、最後まできれいに完全に除去することができる。
【００１４】
３．本発明の装置は、芯なしトイレットペーパの巻き始めに一旦巻き戻すのに、エアノズルを用い、１回の折り返しの場合（図９）はその折り返した先端部を吸引手段や、送風手段により行えばよく、またその先端を更にもう２回以上折り返す場合（図１１）は、本発明で用いる折返し用のエアノズル１３を用いればよいので装置が簡単、安価に作ることができる。
【発明を実施するための最良の形態】
【００１５】
本発明の芯なしトイレットペーパを製造する方法と、その方法を実施する装置は次のとおりである。
【００１６】
図１は、まず広巾のトイレットペーパＡ（以下単にペーパＡいう）を第１回転ロール１上に矢印方向から供給し、次いでペーパＡを巻取り軸４の下側を通して第２回転ロール２上に導かれる。
【００１７】
その状態で図２に示すように、ペーパＡの先端面の前方下側からペーパ折り返し用エアノズル８で空気を噴射すると、ペーパＡは巻取り軸４のまわりを上方に折り返される（図２）。この折り返された部分をペーパＡ１で示す。次いで図３に示すごとく、折り返されたペーパＡ１は、送りエアノズル１０のエアにより矢印Ｐ方向に送られると共に、その先方に設けた吸引ボックス１２によって吸引することによりペーパＡ１の反対方向Ｐへの移行を確実に行い、１回の折り返しの場合はこの状態でＰ方向への移行を止め、［図９］の状態とする。またさらにペーパＡ１をもう一度折り返して図１１に示す２回折りのＡ１，
Ａ２とする場合は追加折り返しノズル１３からエアを噴出させて図１１のＡ１で示すように折り返す。
【００１８】
１回折りで終わらせる場合は、図３に示すＡ１の状態、つまり図９の状態で止める。この場合のペーパＡ１の長さは巻取り軸４の外周の１周分以上の長さになるまでのところで止める。そしてその状態で図３に示すように、押えロール３を下降させて、巻取り軸４を第１と第２の回転ロール１、２と一緒に押えロール３により押える。そしてその状態で、ペーパ押えシリンダ９を下降させ、その先端に取付けたペーパ押え板１４を図５に示すように一緒に下降させて、図９に示すようにペーパＡ１の折返し部分Ｘの面を上方から巻取り軸側に押し込み、第１回転ロール１と巻取り軸４とが交接するＸ線内にペーパＡ１を入り込ませる。
【００１９】
また、図４、図５のようにＡ１，Ａ２の２回折りの場合は、図１１に示す状態となり、その状態でペーパＡ１，Ａ２の長さは巻取り軸４の外周の１周分以上の長さになるまでのところで止める。そしてその状態で図４、図５に示すように、押えロール３を下降させて、巻取り軸４を第１と第２の回転ロール１、２と一緒に押えロール３により押える。そしてその状態で、ペーパ押えシリンダ９を下降させ、その先端に取付けたペーパ押え板１４を一緒に下降させて、図１１に示すようにペーパＡ１の折返し部分Ｘの面を上方から巻取り軸側に押し込み、第１回転ロール１と巻取り軸４とが交接するＸ線内にペーパＡ１を入り込ませる。
【００２０】
次いで図６に示すように、ペーパ押え板１４をペーパ押えシリンダ９と一緒に上昇させる。そして第１、第２回転ロール１、２および押えロール３を図６、図７示す矢印のごとく回転を本格的に始め、ペーパの折り返し部分に霧吹きガン７により水分を噴霧させる。この噴霧により図９の巻き始め部分に相当するペーパＡ１部分や図１１のＡ１，Ａ２のうちの巻取り軸４側に近い部分が捲かれた状態で水分により接着する。
【００２１】
したがって１回折り返しの図９のペーパＡ，Ａ１や２回折り返しの図１１のペーパＡ，Ａ２，Ａ１のうちの巻取り軸４に巻取られた初期の部分は、一般に数層分が固められ、その固められた中空部分が普通のトイレットペーパにおける厚紙の中空円筒状の芯の役目を果たすわけである。
【００２２】
本発明では、この固くなった中心部の円筒状の数層を、以下内側固化層と称する。この内側固化層が形成されると、霧吹きを止めて図７の状態で巻取り軸４上に所定厚さになるまでペーパＡを巻取る。そして図８に示すごとく、巻取り軸４へのペーパの巻取りが完了すると、押えロール３を上昇させることにより巻き終わったペーパロールＳが矢印Ｎ方向に移動され、そこでペーパＡの終端をカッター５により切断し、同時にペーパＡの切断端を糊付けのめたに糊付ガン６により糊を噴射させてペーパＡの終端を付着させて出来上がる。
【００２３】
かくして最後はペーパロールＳを、ペーパロール排出シリンダ１１を上昇させることにより矢印Ｍ向に排出し、最後にはペーパロールＳの中心部から巻取り軸を抜き取るのである。
【００２４】
以上の方法および装置により本発明の芯なしトイレットペーパが完成するが、本発明の芯なしトイレットペーパの特徴である巻取り軸への巻き始め部分について、ここでさらに図９、図１０および図１１、図１２により説明する。
【００２５】
図９は工場に於いて、巻取り軸４にペーパＡの巻き始め側のペーパＡ１を１回折り返した状態を示しており、この状態から巻取り軸４が矢印Ｂ方向に回転して本格的に巻き取るところを示した図であり、図１０はトイレの中で、使用者がペーパＡを使用して最後に残った状態を示しており、１７は芯なしトイレットペーパの中心空洞部内に挿入されている支持棒であって、その支持棒１７のまわりには、ペーパＡ，Ａ１が何回か捲かれた状態で水分が付与されてることにより支持棒１７のまわりの数層は固まった状態、つまり内側固化層が形成されている。もしこの図１０で、折り返し部のＡ１がなければ、最後は一枚だけからなるペーパＡのうちのＤの部分を指でつかんで矢印方向に引張ることになり、当然に一枚だけからなるから弱く、破断線Ｔのところで破けて、残りの内側固化層は全部支持棒１７のまわりに残ってしまうことになる。
【００２６】
ところが、本発明は、図１０に示すように折返し部のペーパＡ１があるから、Ｓの部分は下側のペーパＡと上側のペーパＡ１の２枚から成っていることになるから、その２枚になっているＳの部分を矢印のごとく引張ると、今度は２枚を一緒に引っ張ることになり、引張り強度が１枚のときの２倍となるので、支持棒１７のまわりの裏側の破断線Ｙで破けて、支持棒１７のまわりの固まった筒状体、即ち内側固化層はペーパＡ，Ａ１と一緒に引きちぎられ、支持棒１７上にはペーパは何も残らない。かくして本発明の目的を達成することが可能となるのである。
【００２７】
ところがさらに、本発明ではペーパＡの巻き始めの段階で水分を付与するときに、その水分付与量を適当に制御すると、内側固化層といえども最後まできれいに一枚のペーパとして剥がすことも可能であることがわかった。
【００２８】
以上が１回折り返しの例を示した図９、図１０について説明したが、２回折り返しを示す図１１、図１２についても同じことが云える。
【００２９】
２回折り返しの場合は、図１１、図１２に示すように、１回折り返しの場合はＡ１だけからなるのに対し、Ａ１，  Ａ２で示すように、さらに１枚多く折り返しているから、Ｓの部分を指でつかんで矢印方向に引っ張った場合は１回折りよりも丈夫だから、Ｓをより強く引っ張っても確実に内側固化層を一緒に引きちぎることができる。
したがってその折り返しの回数をふやせばそれだけ丈夫となり、一緒の引きちぎりを確実に行うことができるが、あまり折り返しを多くすると、内側固化層が厚く、固く、丈夫になりすぎて一緒の引きちぎりができなくなることがある。
【００３０】
また１回折り返しの場合と同様に、ペーパＡの巻き始めの段階での水分の付与量を適当にすると内側固化層も最後の一枚まできれいに剥がすことができる。また巻き始めにおいて巻取りロール１，２および押えロールの回転数の調整を行うことにより巻き始め部分に皺を発生させなくすることができ、皺による巻きほぐしをしにくくすることを防止することができ、よりいっそう最後の一枚まできれいに取り出し、利用できるのである。
【００３１】
また、１回折り返しの場合、ペーパＡ１を折り返してそれをある程度の長さまで折り返す場合は、吸引や送風によりペーパＡ１を移動させることができるし、単なるコンベヤを用いることもできる。ここで水分には、当然に保湿剤や粘性付与剤等水分を含有するものはすべて含まれる。
【図面の簡単な説明】
【００３２】
【図１】本発明におけるペーパの巻き始め時の、装置の概念側面図である。
【図２】本発明におけるペーパの折り返し時の、装置の概念側面図である。
【図３】本発明におけるペーパの１回の折り返しをした状態の、装置の概念側面図である。
【図４】本発明におけるペーパの２回の折り返しをした状態の、装置の概念側面図である。
【図５】本発明におけるペーパの折り返し後ペーパ押え板を下降させた状態の、装置の概念側面図である。
【図６】本発明におけるペーパの巻き始めに水分を噴霧させたところを示す装置の概念側面図である。
【図７】本発明におけるペーパの巻取りを本格的に始めた状態を示す装置の概念側面図である。
【図８】本発明におけるペーパの巻取りが終了した状態を示す、装置の概念側面図である。
【図９】本発明におけるペーパの巻始め時に巻取り軸上にペーパを１回折り返した状態を示すペーパの斜視図である。
【図１０】本発明における１枚折りペーパを使用者が使用し、最後にペーパが残った状態を示す斜視図である。
【図１１】本発明におけるペーパの巻始め時に巻取り軸上にペーパを折り返した後１回だけさらに折り返した状態を示すペーパの斜視図である。
【図１２】本発明における２枚折りペーパを使用者が使用し、最後にペーパが残った状態を示す斜視図である。
【図１３】従来の芯なしトイレットペーパを使用者が使用して最後に残った状態を示すペーパの斜視図である。
【符号の説明】
【００３３】
Ａ    トイレットペーパ
１    第１回転ロール
２    第２回転ロール
３    押えロール
４    巻取り軸
５    切断手段
６    糊付け手段
７    水分付与手段
８，１３  エアノズル
９    切断手段
【図１】
2006149600.tif 000003
【図２】
2006149600.tif 000004
【図３】
2006149600.tif 000005
【図４】
2006149600.tif 000006
【図５】
2006149600.tif 000007
【図６】
2006149600.tif 000008
【図７】
2006149600.tif 000009
【図８】
2006149600.tif 000010
【図９】
2006149600.tif 000011
【図１０】
2006149600.tif 000012
【図１１】
2006149600.tif 000013
【図１２】
2006149600.tif 000014
【図１３】
2006149600.tif 000015